(57)【要約】【課題】ハブとヨークとを緊密に接合でき、ヨークから放熱ができる回転子の組合せ構造を提供する。【解決手段】  少なくともハブ２１と、ヨーク２２とを備え、ヨーク２２は、頂壁２２１および頂壁２２１に接続された側壁２２２を備え、ハブ２１は、ハブ２１中心に向かって伸びた肩壁２１２および肩壁２１２に接続されたハブ壁２１１を備え、肩壁２１２の末端には固定部２１３が形成され、固定部２１３に対応するヨーク２２の頂壁２２１には貫通孔２２３が設けられ、貫通孔２２３に固定部２１３が固定されてハブ２１はヨーク２２外部表面に緊密に接合される。【選択図】  図４
2006304526.tif 000002
【特許請求の範囲】
【請求項１】
少なくともハブと、ヨークとを備え、
前記ヨークは、頂壁および前記頂壁に接続された側壁を備え、
前記ハブは、ハブ中心に向かって伸びた肩壁および前記肩壁に接続されたハブ壁を備え、
前記肩壁の末端には固定部が形成され、前記固定部に対応する前記ヨークの頂壁には貫通孔が開設され、前記貫通孔に前記固定部が固定されて前記ハブが前記ヨーク外部表面に接合されることを特徴とする回転子の組合せ構造。
【請求項２】
前記固定部は、掛止部を備えることを特徴とする請求項１記載の回転子の組合せ構造。
【請求項３】
前記ハブとヨークとの間には、接合剤が設けられることを特徴とする請求項１記載の回転子の組合せ構造。
【請求項４】
前記ハブは、プラスチック材料からなることを特徴とする請求項１記載の回転子の組合せ構造。
【請求項５】
前記ヨークは、プラスチック材料からなることを特徴とする請求項１記載の回転子の組合せ構造。
【請求項６】
前記ヨークは、金属材料からなることを特徴とする請求項１記載の回転子の組合せ構造。
【発明の詳細な説明】
【技術分野】
【０００１】
本発明は、モータ等の回転子の組合せ構造に関し、特に接合力を増強させた回転子の組合せ構造に関する。
【背景技術】
【０００２】
図１は、従来技術(例えば、特許文献１)による回転子構造をファンモータに応用した様子を示す断面図であり、図１から判るように、少なくともファンケース１１と、ハブ１２とを備え、ファンケース１１内には支持台１１１が設けられ、支持台１１１上には中空の軸受箱１１２が設けられ、軸受箱１１２内には軸受１１３が設けられ、軸受箱１１２外部にはモータ固定子１３が嵌設され、モータ固定子１３が支持台１１１上に設置されており、上述のハブ１２内にはヨーク１４が設けられ、ヨーク１４は頂壁１４１および頂壁１４１と接続されて下方に延伸した側壁１４２を備え、ハブ１２はヨーク１４の外表面に覆設され、ハブ１２の頂壁１４１に貼合する部分には密封壁１２１を備え、側壁１４２に貼合する部分にはハブ壁１２２を備え、ハブ１２とヨーク１４との間には接合剤が塗設され、モータ回転子１５は環状にヨーク１４の側壁内側に嵌設され、ハブ１２の外部表面には複数の羽根１７が設けられ、さらに軸１６が設けられ、軸１６の一端はヨーク１４と接続され、他端は軸受１１３に貫設され、ハブ１２とヨーク１４とを支持台１１１上に枢設してモータ固定子１３とモータ回転子１５とを磁気的に接続させている。
【０００３】
しかし、従来のモータ等の固定子と回転子は以下に述べるような問題点があった。
すなわち、モータ固定子１３とモータ回転子１５との励磁作用により、ハブ１２とヨーク１４とを回転させ、同時に羽根１７を回転させて流体を移動させるが、モータ固定子１３とモータ回転子１５との間の運転は物理作用によって磁力が熱になり、その熱が接合剤の接合力を低下させ、時間の経過と共に接合力が失われてハブ１２とヨーク１４との間が分離してしまい、全体の回転効率にも影響を及ぼし、ハブ１２とヨーク１４とが同時に回転しない状況が発生するか、あるいは分離前の回転速度に到達させるためには電源を強化しなくてはならなくなり、電源を浪費するだけでなく、放熱効果も大幅に低下し、使用者の需要を満たせない。
【特許文献１】特開２００４−３４３８７６号公報
【発明の開示】
【発明が解決しようとする課題】
【０００４】
そこで、本発明の発明者は、上述の従来技術の各欠点に鑑み、更に完全なものにするため、長年に渡る経験および弛まぬ研究、改良によってついに本発明を完成させた。
【０００５】
本発明の第１の目的は、ハブ上に固定部を設け、ヨーク上に固定部と対応する貫通孔を開設し、固定部を貫通孔内に固定してハブをヨーク外表面に接合し、両者を緊密に接合固定する回転子の組合せ構造を提供することにある。
本発明の第２の目的は、熱伝導作用を有するヨークの頂壁を外部に露出させ、ヨークに熱交換を行わせて放熱を助長できるようにした回転子の組合せ構造を提供することにある。
【課題を解決するための手段】
【０００６】
前述の課題を解決するために、請求項１の発明は、少なくともハブと、ヨークとを備え、前記ヨークは、頂壁および前記頂壁に接続された側壁を備え、前記ハブは、ハブ中心に向かって伸びた肩壁および前記肩壁に接続されたハブ壁を備え、前記肩壁の末端には固定部が形成され、前記固定部に対応する前記ヨークの頂壁には貫通孔が開設され、前記貫通孔に前記固定部が固定されて前記ハブが前記ヨーク外部表面に接合されることを特徴とする回転子の組合せ構造である。
【０００７】
請求項２の発明は、前記固定部は、掛止部を備えることを特徴とする請求項１記載の回転子の組合せ構造である。
【０００８】
請求項３の発明は、前記ハブとヨークとの間には、接合剤が設けられることを特徴とする請求項１記載の回転子の組合せ構造である。
【０００９】
請求項４の発明は、前記ハブは、プラスチック材料からなることを特徴とする請求項１記載の回転子の組合せ構造である。
【００１０】
請求項５の発明は、前記ヨークは、プラスチック材料からなることを特徴とする請求項１記載の回転子の組合せ構造である。
【００１１】
請求項６の発明は、前記ヨークは、金属材料からなることを特徴とする請求項１記載の回転子の組合せ構造である。
【発明の効果】
【００１２】
固定部の掛止部がヨークの頂壁内面に掛止され、回転力に耐えられる貼合力が生成されるので、従来技術のように、熱によって接合剤の接合力が低下し、ハブおよびヨークが分離する状況の発生を低減でき、またヨークの頂壁が外部に露出しているので、ヨークに伝導された熱を頂壁から外部に対して熱交換を行うことができ、モータ回転子とモータ固定子の放熱を助長し、使用寿命と作動効率を高めることができる。
【発明を実施するための最良の形態】
【００１３】
本発明の上述の目的、構造および機能上の特性を図を参照しながら実施形態に沿って説明する。
【００１４】
本発明は回転子の組合せ構造を提供するものであり、図は本発明の好適な実施形態を示すものである。図２、３に示すように、少なくともハブ２１と、ヨーク２２とを備え、ハブ２１はハブ壁２１１を備え、ハブ壁２１１の一端にはハブ２１の中心に向かって伸びた肩部２１２が設けられ、肩部２１２には少なくとも一つの下方に延伸した固定部２１３が設けられ、固定部２１３末端には掛止部２１３１が形成されている。
【００１５】
上述のヨーク２２は頂壁２２１および頂壁２２１に接続され下方に延伸した側壁２２２を備え、頂壁２２１のハブ２１の固定部２１３に対応する位置には少なくとも一つの貫通孔２２３が開設され、組立時、ハブ２１の肩部２１２をヨーク２２の頂壁２２１に隣接させ、固定部２１３をヨーク２２の貫通孔２２３に貫通し、固定部２１３末端の掛止部２１３１をヨーク２２の頂壁２２１内部に掛止してハブ２１をヨーク２２外部表面に接合し、ハブ２１の肩部２１２を緊密に頂壁２２１外表面に貼合してヨーク２２の貫通孔２２３と側壁２２２との間に介在させ、ハブ２１のハブ壁２１１を肩部２１２に沿って緊密にヨーク２２の側壁２２２に貼合する。ヨーク２２の頂壁２２１表面の肩部２１２に覆われていない部分が外部に露出し、図にはないが、ハブ２１とヨーク２２との間には接合剤を設けることができ、ハブ２１とヨーク２２との接合をさらに強化している。
【００１６】
図４は、本発明の一実施形態による回転子をファンモータに応用した様子を示す断面図であり、図２、３を合わせて参照すると、図に示すように、ファンモータのモータ回転子２３はヨーク２２の側壁２２２内面に設けられ、モータ固定子２４はモータ支持台２５上に設置され、モータ回転子２３とモータ固定子２４との間は磁気的に接続されており、モータ回転子２３とモータ固定子２４が励磁するとき、ハブ２１とヨーク２２とを回転させ、その回転力が流体を移動させる。モータ回転子２３とモータ固定子２４との間の回転においては物理的変化を通じてその磁力が熱に変わり、その熱が伝達作用によってハブ２１およびヨーク２２内の流体温度を上昇させ、温度が上昇した流体がハブ２１の回転によって移動し、さらにヨーク２２には熱伝導作用によってモータ回転子２３およびモータ固定子２４の運転によって発生する熱が伝達される。
【００１７】
ハブ２１およびヨーク２２には、固定部２１３がヨーク２２の貫通孔２２３内に掛止され、固定部２１３の掛止部２１３１がヨーク２２の頂壁２２１内面に掛止されることによって回転力に耐えられる貼合力が生成されるので、従来技術のように、熱の伝達によって接合剤の接合力が低下し、ハブ２１およびヨーク２２を分離させる状況の発生を低減でき、またヨーク２２の頂壁２２１が外部に露出しているので、ヨーク２２に伝導された熱を頂壁２２１から外部に対して熱交換を行うことができ、モータ回転子２３とモータ固定子２４の放熱を援助し、使用寿命と作動効率を高めることができる。
【００１８】
上述の説明は本発明の好適な実施形態を示したものであり、本発明の上述の方法、形状、構造、装置の特徴を損なうものでなければ、前述した実施例に限定されないことは勿論であり、均等の範囲内での変更は全て本発明の権利範囲に含まれることは勿論である。
【図面の簡単な説明】
【００１９】
【図１】従来技術による回転子構造をファンモータに応用した様子を示す断面図である。
【図２】本発明の一実施形態による回転子を示す分解断面図である。
【図３】本発明の一実施形態による回転子の組立後の様子を示す断面図である。
【図４】本発明の一実施形態による回転子をファンモータに応用した様子を示す断面図である。
【符号の説明】
【００２０】
２１    ハブ
２１１  ハブ壁
２１２  肩壁
２１３  固定部
２１３１掛止部
２２    ヨーク
２２１  頂壁
２２２  側壁
２２３  貫通孔
２３    モータ回転子
２４    モータ固定子
２５    モータ支持台
【図１】
2006304526.tif 000003
【図２】
2006304526.tif 000004
【図３】
2006304526.tif 000005
【図４】
2006304526.tif 000006